(57)【要約】【課題】  １枚の印刷銘版で２つのリモコンモードを設けることができ、ユーザーが操作を簡単にできて、しかも、印刷銘版を取り付け取り外し可能とすることができて、掃除を容易に行なうことができるリモコン装置を提供する。【解決手段】  リモコン本体の上ケース２の表面に、表裏異なるコード１用とコード２用の表示が印刷された印刷銘版５が取り付け取り外し可能に配置され、上ケース２の裏面側に印刷銘版５の複数のボタン挿入穴５ｂに出入りされる複数のボタン４ａを有するラバー４が配置され、ラバー４の下側にはラバー４のボタン４ａが押されたときにボタン４ａの下端のカーボン接点が接触する複数のパターン９が形成された基板３が配置され、ラバー４にはコード１とコード２を切り換えるための切換スイッチ６が設けられ、印刷銘版５の一方側にラバー４に設けられた切換スイッチ６が出入りする小穴５ａが形成されている。【選択図】  図１
2008294499.tif 000002
【特許請求の範囲】
【請求項１】
ＤＶＤとＶＣＲ等の複合機器を操作するためのリモコンコードが２種類あるリモコン装置において、リモコン本体の上ケースの表面に、表裏異なるコード１用とコード２用の表示が印刷された印刷銘版が取り付け取り外し可能に配置され、前記上ケースの裏面側には前記印刷銘版に形成された複数のボタン挿入穴に出入りされる複数のボタンを有するラバーが配置され、前記ラバーの下側には前記ラバーのボタンが押されたときにこのボタンの下端のカーボン接点が接触する複数のパターンが形成された基板が配置されており、前記ラバーにはコード１とコード２を切り換えるための切換スイッチが設けられ、前記印刷銘版の一方側に前記ラバーに設けられた切換スイッチが出入りする小穴が形成されており、前記印刷銘版の表面が表向きになるように前記上ケースに配置された際には、前記印刷銘版の小穴に前記ラバーの切換スイッチが挿入されてこの切換スイッチの下端のカーボン接点が前記基板に設けられたパターンに接触しないＯＦＦ状態のときに前記基板上のマイコン内部でコード１に切換えられ、前記印刷銘版の裏面が表向きになるように前記上ケースに配置された際には、前記ラバーの切換スイッチの上端が前記印刷銘版に当接して下向きに押されて前記切換スイッチの下端のカーボン接点が前記基板に設けられたパターンに接触してＯＮ状態のときに前記基板上のマイコン内部でコード２に切換えられるように構成したことを特徴とするリモコン装置。
【請求項２】
前記印刷銘版のコード１側の表面が黒く印刷されてその表示文字が白く表示され、前記印刷銘版のコード２側の裏面が白く印刷されてその表示文字が黒く表示されていて、前記印刷銘版のコード１側の表面の表示とコード２側の裏面の表示を異なる配色にした請求項１に記載のリモコン装置。
【発明の詳細な説明】
【技術分野】
【０００１】
本発明は、ＤＶＤとＶＣＲ等の複合機器を操作するためのリモコンコードが２種類あるリモコン装置に関するものである。
【背景技術】
【０００２】
ＤＶＤとＶＣＲ等の複合機器において、同じフォーマットでリモコンコードが２種類ある場合に、機器本体とリモコン装置のモードに食い違いが出るために、機器本体が動作しなくなるという問題があった。
【０００３】
第１の従来技術を図３（ａ）（ｂ）に示す。この従来のリモコン送信器と同送信器用バックアップボードは、図３（ａ）（ｂ）に示すように、ケーシング本体１１１の一側部にボード挿脱口１１１ａを有し、内部にＩＣ基板が装着され、そのスイッチ操作面の一部に２枚の透明フィルムからなり透明なスイッチ回路を有するタッチパネル１１２を固設してなるリモコン送信器１０１のボード挿脱口１１１ａに、剛性板材からなり、周辺部に表裏識別部１２２を有すると共に、表裏面に機能操作用のキーナンバーや絵文字等の機能表示がなされ、タッチパネル１１２の押圧によるスイッチ操作時にタッチパネルを裏面から支持する各機種に対応して用意された複数から選択された所要のバックアップボード１２０を挿入して、所望の機種に対応して送信操作を行う。（例えば、特許文献１参照）。
【０００４】
ところが、これにおいては、各機種に対応して複数のバックアップボード１２０を必要とするためにコスト高になるという問題があった。
【０００５】
第２の従来技術を図４（ａ）（ｂ）に示す。この従来のリモコン送信機は、図４（ａ）（ｂ）に示すように、リモコン送信機２０１の表面２０２と裏面２０３の両面にそれぞれボタンスイッチ群２０４、２０５を設ける。このように本体の両面にボタンスイッチ群を設けることによって小型に保ちつつボタンスイッチの数を増やすことができる。さらに、内部に重力センサ２０６を設けてリモコン送信機２０１の上下位置関係を検出し、上になっている面のボタンスイッチのみ有効にし、下になっている面のボタンスイッチのオン/オフを無視するようにする。これにより、従来どおり手で握って操作した場合でも手で握られる下面のボタンスイッチのオン/オフは無視されるためこれを考慮することなく手で握ることができ、また、テーブル等に置いた場合に突起物に当たって下面のボタンスイッチがオンしても誤ったコードが送信されることがない。（例えば、特許文献２参照）。
【０００６】
ところが、これにおいては、リモコン送信機２０１の上下の面にボタンスイッチを設けているものである。また、リモコン送信機２０１の内部に重力センサ２０６を設けなくてはならないという問題があった。
【０００７】
第３の従来技術を図６に示す。この従来の入力装置は、図６に示すように、表面及び裏面に夫々操作キー３０１ａ及び３０１ｂを配したコマンダにおいて、表裏検出手段３０２を設け、この表裏検出手段３０２により検出した面の操作キーだけを使用できるようにしたものである。（例えば、特許文献３参照）。
【０００８】
ところが、これにおいては、表面及び裏面に夫々操作キー３０１ａ及び３０１ｂを設けなくてはならないという問題があり、更に、表裏検出手段３０２を設けなくてはならないという問題があった。
【特許文献１】特開平９−２７１０８２号公報
【特許文献２】特開平９−２３３５７６号公報
【特許文献３】特開平６−８９６３４号公報
【発明の開示】
【発明が解決しようとする課題】
【０００９】
本発明は、上記従来の問題に鑑みてなされたものであって、１枚の印刷銘版で２つのリモコンモードを設けることができ、ユーザーが操作を簡単にできると共にコストダウンを図れ、しかも、印刷銘版を取り付け取り外し可能とすることができて、掃除を容易に行なうことができるリモコン装置を提供することを目的としている。
【課題を解決するための手段】
【００１０】
本発明は、上記課題を解決するために提案されたものであって、請求項１に記載の発明は、ＤＶＤとＶＣＲ等の複合機器を操作するためのリモコンコードが２種類あるリモコン装置において、リモコン本体の上ケースの表面に、表裏異なるコード１用とコード２用の表示が印刷された印刷銘版が取り付け取り外し可能に配置され、前記上ケースの裏面側には前記印刷銘版に形成された複数のボタン挿入穴に出入りされる複数のボタンを有するラバーが配置され、前記ラバーの下側には前記ラバーのボタンが押されたときにこのボタンの下端のカーボン接点が接触する複数のパターンが形成された基板が配置されており、前記ラバーにはコード１とコード２を切り換えるための切換スイッチが設けられ、前記印刷銘版の一方側に前記ラバーに設けられた切換スイッチが出入りする小穴が形成されており、前記印刷銘版の表面が表向きになるように前記上ケースに配置された際には、前記印刷銘版の小穴に前記ラバーの切換スイッチが挿入されてこの切換スイッチの下端のカーボン接点が前記基板に設けられたパターンに接触しないＯＦＦ状態のときに前記基板上のマイコン内部でコード１に切換えられ、前記印刷銘版の裏面が表向きになるように前記上ケースに配置された際には、前記ラバーの切換スイッチの上端が前記印刷銘版に当接して下向きに押されて前記切換スイッチの下端のカーボン接点が前記基板に設けられたパターンに接触してＯＮ状態のときに前記基板上のマイコン内部でコード２に切換えられるように構成したことを特徴としている。
【００１１】
請求項２に記載の発明は、請求項１に記載の発明において、前記印刷銘版のコード１側の表面が黒く印刷されてその表示文字が白く表示され、前記印刷銘版のコード２側の裏面が白く印刷されてその表示文字が黒く表示されていて、前記印刷銘版のコード１側の表面の表示とコード２側の裏面の表示を異なる配色にしたものである。
【発明の効果】
【００１２】
請求項１に記載の発明によれば、印刷銘版の表面が表向きになるように上ケースに配置された際には、印刷銘版の小穴にラバーの切換スイッチが挿入されて切換スイッチの下端のカーボン接点が基板のパターンに接触しないＯＦＦ状態のときに基板上のマイコン内部でコード１に切換えられ、印刷銘版の裏面が表向きになるように上ケースに配置された際には、ラバーの切換スイッチの上端が印刷銘版に当接して下向きに押されて切換スイッチの下端のカーボン接点が基板のパターンに接触してＯＮ状態のときに基板上のマイコン内部でコード２に切替えられるように構成したから、１枚の印刷銘版で２つのリモコンコードを設けることができ、ユーザーが操作を簡単に行うことができると共にコストダウンを図ることができる。更に、印刷銘版を上ケースに対して取り付け取り外し可能とすることができて、リモコン装置の掃除を容易に行なうことができる。
【００１３】
請求項２に記載の発明によれば、印刷銘版のコード１側の表面が黒く印刷されてその表示文字が白く表示され、印刷銘版のコード２側の裏面が白く印刷されてその表示文字が黒く表示されているから、印刷銘版を裏表変えるだけでその印刷銘版の現在のモードがコード１かコード２をユーザーが見た目でわかるために、操作性を良くすることができる。
【発明を実施するための最良の形態】
【００１４】
以下、本発明に係るリモコン装置の実施の形態について、図を参照しつつ説明する。
【００１５】
図１は本発明の実施形態のリモコン装置を示し、（ａ）はモード１の場合の断面図、（ｂ）はモード２の場合の断面図、（ｃ）はモード１用の表示が印刷された印刷銘版の表面を示す平面図、（ｄ）はモード２用の表示が印刷された同印刷銘版の裏面を示す平面図、図２はリモコン装置の基板上の回路を示す回路図である。
【００１６】
本実施形態のリモコン装置は、図１（ａ）（ｂ）に示すように、下ケース１と上ケース２内に基板３と複数のボタン４ａを有するラバー４とが配置され、上ケースの上面に印刷銘版５が取り付け取り外し可能に配置されている。ラバー４には切換スイッチ６がその一方側に設けられ、印刷銘版５の一方側に切換スイッチ６が出入りする小穴５ａが形成されており、更に、この印刷銘版５にはラバー４の複数のボタン４ａに対応する箇所に複数のボタン挿入穴５ｂが形成されている。印刷銘版５のコード１側の表面は表面が黒く印刷されてその表示文字が白く表示され、コード２側の裏面が白く印刷されてその表示文字が黒く表示されている。図１（ｃ）に示すように、印刷銘版５の小穴５ａは、コード１側の表面の図にて上側の右側に形成され、図１（ｄ）に示すように、コード２側の裏面の図にて左側に形成された状態となる。
【００１７】
図１（ａ）（ｃ）に示すように、印刷銘版５をコード１側の表面が上向きになるようにして上ケース２の上面に配置すると、小穴５ａと切換スイッチ６の位置が一致して小穴５ａ内に切換スイッチ６が入り込み、切換スイッチ６の下端のカーボン接点（図示略）が基板３に設けられたパターン７（図２参照）に接触しないＯＦＦ状態となり、基板３上のマイコン８（図２参照）の内部でコード１に切換られる。また、図１（ｂ）（ｄ）に示すように、印刷銘版５をコード２側の裏面が上向きになるようにして上ケース２の上面に配置すると、小穴５ａと切換スイッチ６の位置が一致せずに、切換スイッチ６の上端が印刷銘版５の下面に当接して下向きに押されて切換スイッチ６の下端のカーボン接点（図示略）が基板３に設けられたパターン７（図２参照）に接触してＯＮ状態のときに基板３上のマイコン８（図２参照）の内部でコード２に切換られるようになっている。尚、本実施形態では、上ケース２にも複数のボタン挿入穴が形成されたものを図示している。図２に示すように、基板３の表面には、切換スイッチ用のパターン７と複数のボタン用のパターン９が形成され、切換スイッチ用のパターン７はマイコン８に接続されている。尚、図２において、符号１０は電源、符号１１は発光ダイオード、符号１２はトランジスタ、符号１３はコンデンサ、符号１４は発振子を示している。
【００１８】
従って、本実施形態によれば、１枚の印刷銘版５で２つのリモコンコードを設けることができ、ユーザーが操作を簡単に行うことができると共にコストダウンを図ることができる。更に、印刷銘版５を上ケース２に対して取り付け取り外し可能とすることができて、リモコン装置の掃除を容易に行なうことができる。更に、印刷銘版５のコード１側の表面が黒く印刷されてその表示文字が白く表示され、印刷銘版５のコード２側の裏面が白く印刷されてその表示文字が黒く表示されているから、印刷銘版５を裏表変えるだけでその印刷銘版５の現在のモードがコード１かコード２をユーザーが見た目でわかるために、操作性を良くすることができる。
【００１９】
尚、本実施形態では、印刷銘版５の表面を黒く印刷し、裏面を白く印刷したものについて説明したが、これに限らず、他の２色の色で色分けしてもよいことは勿論である。
【図面の簡単な説明】
【００２０】
【図１】本発明の実施形態のリモコン装置を示し、（ａ）はモード１の場合の断面図、（ｂ）はモード２の場合の断面図、（ｃ）はモード１用の表示が印刷された印刷銘版の表面を示す平面図、（ｄ）はモード２用の表示が印刷された同印刷銘版の裏面を示す平面図である。
【図２】リモコン装置の基板上の回路を示す回路図である。
【図３】従来のリモコン送信器と同送信器用バックアップボードを示し、（ａ）はそのリモコン送信器のボード挿入時における使用態様示す斜視図、（ｂ）はそのバックアップボードを裏面から見た斜視図である。
【図４】従来のリモコン送信機を示し、（ａ）はその斜視図、（ｂ）はその重力センサを示す断面図である。
【図５】従来の入力装置を示す斜視図である。
【符号の説明】
【００２１】
１      下ケース
２      上ケース
３      基板
４      ラバー
４ａ    ボタン
５      印刷銘版
５ａ    小穴
５ｂ    ボタン挿入穴
６      切換スイッチ
７      切換スイッチ用のパターン
８      マイコン
９      ボタン用のパターン
１０    電源
１１    発光ダイオード
１２    トランジスタ
１３    コンデンサ
１４    発振子
【図１】
2008294499.tif 000003
【図２】
2008294499.tif 000004
【図３】
2008294499.tif 000005
【図４】
2008294499.tif 000006
【図５】
2008294499.tif 000007